(57)【要約】【課題】電磁弁の電磁コイルの温度上昇を抑制できるようにする。【解決手段】冷房運転の時は室内ユニット３００ａ，３００ｂ，３００ｃと低圧ガス管１３０とを連通させるとともに、暖房運転の時は高圧ガス管１２０と室内ユニット３００ａ，３００ｂ，３００ｃとを連通させるように切り替えられる高圧ガス管電磁弁２０４ａ，２０４ｂ，２０４ｃ及び低圧ガス管電磁弁２０６ａ，２０６ｂ，２０６ｃを備えた空気調和装置１０において、高圧ガス管１２０の冷媒を減圧し液管１１０に流す減圧器２０３ａ，２０３ｂ，２０３ｃと、減圧器２０３ａ，２０３ｂ，２０３ｃを通過した後の冷媒と高圧ガス管電磁弁２０４ａ，２０４ｂ，２０４ｃ及び低圧ガス管電磁弁２０６ａ，２０６ｂ，２０６ｃの電磁コイル２０８との熱交換を行う熱交換部２０２ａ，２０２ｂ，２０２ｃとを備えた。【選択図】図１
2017096597.tif 000002
【特許請求の範囲】
【請求項１】
室外ユニットと、複数台の室内ユニットと、前記室外ユニットを複数台の前記室内ユニット側に接続する高圧ガス管、液管、及び、低圧ガス管とを備え、冷房運転の時は前記室内ユニットと前記低圧ガス管とを連通させるとともに、暖房運転の時は前記高圧ガス管と前記室内ユニットとを連通させるように切り替えられる電磁弁を備え、少なくとも１台の前記室内ユニットを冷房もしくは暖房のいずれか一方で運転可能であり、且つ、複数台の前記室内ユニットを冷房及び暖房を混在して運転可能な空気調和装置において、
前記高圧ガス管の冷媒を減圧し前記液管に流す減圧器と、前記減圧器を通過した後の冷媒と前記電磁弁の電磁コイルとの熱交換を行う熱交換部とを備えたことを特徴とする空気調和装置。
【請求項２】
前記室外ユニットと複数台の前記室内ユニットとの間に接続される電磁弁キットを備え、
前記電磁弁キットは、前記高圧ガス管、前記液管、及び、前記低圧ガス管で前記室外ユニットに接続されるとともに、室内ユニット側液管及びガス管で前記室内ユニットに接続され、
前記高圧ガス管は、前記電磁弁キット内に配置されるキット内高圧ガス管を備え、
前記液管は、前記電磁弁キット内に配置されるキット内液管を備え、
前記低圧ガス管は、前記電磁弁キット内に配置されるキット内低圧ガス管を備え、
前記電磁弁は、冷房運転の時は前記ガス管と前記キット内低圧ガス管とを連通させるとともに、暖房運転の時は前記キット内高圧ガス管と前記ガス管とを連通させるように切り替えられ、
前記高圧ガス管と前記液管とを前記減圧器を介して接続する冷媒回路は、前記キット内高圧ガス管と前記キット内液管とを接続するバイパス管であることを特徴とする請求項１記載の空気調和装置。
【請求項３】
前記高圧ガス管と前記液管とを前記減圧器を介して接続する冷媒回路の一端は、前記高圧ガス管の下部に接続されていることを特徴とする請求項１または２記載の空気調和装置。
【請求項４】
高圧ガス管と、
低圧ガス管と、
液管と、
室内ユニットに接続されるガス管を、冷房運転の時は前記低圧ガス管に連通させるとともに、暖房運転の時は前記高圧ガス管に連通させるように切り替えられる電磁弁と、
前記高圧ガス管の冷媒を減圧し前記液管に流す減圧器と、
前記減圧器を通過した後の冷媒と前記電磁弁の電磁コイルとの熱交換を行う熱交換部と、
を備えたことを特徴とする電磁弁キット。
【発明の詳細な説明】
【技術分野】
【０００１】
本発明は、空気調和装置、及び、電磁弁キットに関する。
【背景技術】
【０００２】
室外ユニットと、複数台の室内ユニットと、電磁弁キットを備え、電磁弁キットは、室外ユニットと室内ユニットの間に設置されるとともに、一方を室外ユニットに対して高圧ガス管、液管、及び、低圧ガス管で接続され、他方を室内ユニットに対して室内ユニット側の液管、及び、ガス管で接続されており、高圧ガス管及び低圧ガス管と、ガス管との連通を電磁弁により切り替え可能な空気調和装置が知られている。このような空気調和装置では、複数台の室内ユニットを冷房もしくは暖房のいずれか一方で運転可能であり、且つ、複数台の室内ユニットを冷房及び暖房を混在して運転可能である。
上記空気調和装置では、圧縮機および室外熱交換器を備えた室外ユニットと、室内熱交換器を備えた複数台の室内ユニットとがユニット間配管により電磁弁キットを介して接続されている。そして、室外熱交換器の一端が、圧縮機の冷媒吐出管と冷媒吸込管とに択一に分岐して接続され、ユニット間配管が、上記冷媒吐出管に接続された高圧ガス管と、上記冷媒吸込管に接続された低圧ガス管と、上記室外熱交換器の他端に接続された液管とを有している。電磁弁キットは上記高圧ガス管、低圧ガス管、及び、液管を切り替えて、冷房運転もしくは暖房運転、または、暖房運転と冷房運転を混在して実施可能な構成となっている。
上記構成によると、室内ユニットを暖房運転として運転する場合、電磁弁キット内の室外ユニットと室内ユニットとを接続する高圧ガス管に設置された電磁弁を開状態とし、低圧ガス管に設置された電磁弁を閉状態とする。室内ユニットを冷房運転として運転する場合、電磁弁キット内の室外ユニットと室内ユニットとを接続する高圧ガス管に設置された電磁弁を閉状態とし、低圧ガス管に設置された電磁弁を開状態とする。
従来の構成では、室内ユニットを暖房運転として運転する場合、高圧ガス管に設置された電磁弁を高温高圧の冷媒が通過するため、電磁弁の電磁コイルの温度が上昇してしまうという問題があった。また、室内ユニットを冷房運転として運転する場合、低圧ガス管に設置された電磁弁を低温低圧の冷媒が通過するが、電磁弁が設置されている場所の周囲温度が高いため、電磁コイルの温度が上昇してしまうという問題と、液管及び低圧ガス管は周囲温度よりも低温となるため、液管及び低圧ガス管の表面に結露が発生してしまうという問題があった。
これらの課題を解決するため、電磁弁のケーシングを電磁弁本体と電磁コイルとが別空間となるように分割し、電磁弁本体側の空間は発泡樹脂を充填することで結露を防止し、電磁コイル側の空間は開放されることで放熱性を確保するものが提案されている（例えば、特許文献１参照）。また、複数の室内ユニットに接続できる電磁弁キット（集合電磁弁キット）について、電磁弁本体側を発泡樹脂で充填し、電磁コイルを開放空間に配置し、さらに、電磁コイルが温度上昇により故障した際の交換作業を容易とするために集合電磁弁キットの側面を開放空間とするものが提案されている（例えば、特許文献２参照）。
【先行技術文献】
【特許文献】
【０００３】
【特許文献１】実開平３−７３８４２号公報
【特許文献２】特開２０１４−１６３６５７号公報
【発明の概要】
【発明が解決しようとする課題】
【０００４】
しかしながら、電磁弁がコーナー部などの壁に囲まれた通気性の悪い場所に配置される場合や、屋上近くで日射の影響を強く受ける場合や、近くに大きな発熱体がある場合などの周囲温度が高くなる場所に配置される場合は、十分な放熱が行えず、電磁コイルの温度が上昇してしまうという課題があった。また、集合電磁弁キットの場合、連結数が多くなると電磁コイルの数が増えて発熱量が大きくなることに加え、中央部に配置されて両側に隣接する電磁コイルの影響を受ける電磁コイルなどは、電磁コイルを開放空間に配置したとしても十分な放熱が行えず、電磁コイルの温度が上昇し易くなる。
本発明は、上記課題を解決するものであり、電磁弁の電磁コイルの温度上昇を抑制できるようにすることを目的とする。
【課題を解決するための手段】
【０００５】
上記目的を達成するため、本発明は、室外ユニットと、複数台の室内ユニットと、前記室外ユニットを複数台の前記室内ユニット側に接続する高圧ガス管、液管、及び、低圧ガス管とを備え、冷房運転の時は前記室内ユニットと前記低圧ガス管とを連通させるとともに、暖房運転の時は前記高圧ガス管と前記室内ユニットとを連通させるように切り替えられる電磁弁を備え、少なくとも１台の前記室内ユニットを冷房もしくは暖房のいずれか一方で運転可能であり、且つ、複数台の前記室内ユニットを冷房及び暖房を混在して運転可能な空気調和装置において、前記高圧ガス管の冷媒を減圧し前記液管に流す減圧器と、前記減圧器を通過した後の冷媒と前記電磁弁の電磁コイルとの熱交換を行う熱交換部とを備えたことを特徴とする。
【０００６】
また、本発明は、前記室外ユニットと複数台の前記室内ユニットとの間に接続される電磁弁キットを備え、前記電磁弁キットは、前記高圧ガス管、前記液管、及び、前記低圧ガス管で前記室外ユニットに接続されるとともに、室内ユニット側液管及びガス管で前記室内ユニットに接続され、前記高圧ガス管は、前記電磁弁キット内に配置されるキット内高圧ガス管を備え、前記液管は、前記電磁弁キット内に配置されるキット内液管を備え、前記低圧ガス管は、前記電磁弁キット内に配置されるキット内低圧ガス管を備え、前記電磁弁は、冷房運転の時は前記ガス管と前記キット内低圧ガス管とを連通させるとともに、暖房運転の時は前記キット内高圧ガス管と前記ガス管とを連通させるように切り替えられ、前記高圧ガス管と前記液管とを前記減圧器を介して接続する冷媒回路は、前記キット内高圧ガス管と前記キット内液管とを接続するバイパス管であることを特徴とする。
また、本発明は、前記高圧ガス管と前記液管とを前記減圧器を介して接続する冷媒回路の一端は、前記高圧ガス管の下部に接続されていることを特徴とする。
【０００７】
また、本発明は、高圧ガス管と、低圧ガス管と、液管と、室内ユニットに接続されるガス管を、冷房運転の時は前記低圧ガス管に連通させるとともに、暖房運転の時は前記高圧ガス管に連通させるように切り替えられる電磁弁と、前記高圧ガス管の冷媒を減圧し前記液管に流す減圧器と、前記減圧器を通過した後の冷媒と前記電磁弁の電磁コイルとの熱交換を行う熱交換部と、を備えたことを特徴とする電磁弁キットを提供する。
【発明の効果】
【０００８】
本発明に係る空気調和装置、及び、電磁弁キットによれば、高圧ガス管の冷媒が減圧器で減圧され、減圧器で減圧された冷媒と電磁弁の電磁コイルとを熱交換部で熱交換して電磁コイルを冷却できるため、電磁コイルの温度上昇を効果的に抑制できる。
【図面の簡単な説明】
【０００９】
【図１】本発明の第１の実施の形態に係る空気調和装置の冷媒回路図である。
【図２】電磁弁キットの構成を側方から見た模式図である。
【図３】暖房運転時における空気調和装置の冷媒回路図である。
【図４】冷暖混在運転時における空気調和装置の冷媒回路図である。
【図５】第２の実施の形態における空気調和装置の冷媒回路図である。
【発明を実施するための形態】
【００１０】
以下、図面を参照して本発明の一実施形態について説明する。
［第１の実施の形態］
図１は、本発明の第１の実施の形態に係る空気調和装置の冷媒回路図である。
空気調和装置１０は、室外ユニット１００と、室外ユニット１００に接続される複数台の室内ユニット３００ａ，３００ｂ，３００ｃと、室外ユニット１００と室内ユニット３００ａ，３００ｂ，３００ｃとを接続するユニット間配管２０と、室外ユニット１００と室内ユニット３００ａ，３００ｂ，３００ｃとの間に接続される電磁弁キット２００ａ，２００ｂ，２００ｃとを備える。
【００１１】
空気調和装置１０は、室内ユニット３００ａ，３００ｂ，３００ｃの全てを冷房運転もしくは暖房運転可能であり、且つ、室内ユニット３００ａ，３００ｂ，３００ｃ間で冷房運転と暖房運転とを混在して運転する冷暖混在運転が可能である。
なお、ここでは、室外ユニット１００に対し、ユニット間配管２０を介して３台の室内ユニット３００ａ，３００ｂ，３００ｃが並列に接続される構成を例に挙げて説明するが、本発明はこれに限定されるものではなく、室内ユニットは、２台以上が並列に接続されていれば良い。また、本第１の実施の形態では、室外ユニット１００は１台であるが、これに限らず、室外ユニットは複数台が並列に接続されていても良い。
【００１２】
室外ユニット１００は、圧縮機１０１と、圧縮機１０１から吐出された冷媒に含まれる冷凍機油を分離して圧縮機１０１へ戻すオイルセパレータ１０２と、冷房運転、暖房運転、及び、冷房運転と暖房運転の混在運転の運転状態により冷媒回路を切り替える四方弁１０３と、外気に対し放熱及び吸熱する室外熱交換器１０４と、室外膨張弁１０５とを備える。室外熱交換器１０４は、送風機（不図示）の送風によって熱交換が促進される。
室外熱交換器１０４の一端と、圧縮機１０１の吐出管１０１ａと、圧縮機１０１の吸込管１０１ｂとは、四方弁１０３にそれぞれ接続されている。室外熱交換器１０４の一端は、四方弁１０３の切り替えにより、吐出管１０１ａと吸込管１０１ｂとに択一に接続される。
室外膨張弁１０５は、室外熱交換器１０４の他端側に設けられる。
【００１３】
室内ユニット３００ａ，３００ｂ，３００ｃは、空調する室内と熱交換する室内熱交換器３０２ａ，３０２ｂ，３０２ｃと、室内熱交換器３０２ａ，３０２ｂ，３０２ｃの一端側に設けられる室内膨張弁３０１ａ，３０１ｂ，３０１ｃとを備える。室内熱交換器３０２ａ，３０２ｂ，３０２ｃは、送風機（不図示）の送風によって熱交換が促進される。
【００１４】
ユニット間配管２０は、圧縮機１０１の吐出管１０１ａ側と電磁弁キット２００ａ，２００ｂ，２００ｃとを接続する高圧ガス管１２０と、圧縮機１０１の吸込管１０１ｂ側と電磁弁キット２００ａ，２００ｂ，２００ｃとを接続する低圧ガス管１３０と、室外熱交換器１０４の他端側と電磁弁キット２００ａ，２００ｂ，２００ｃとを接続する液管１１０とを備える。
また、ユニット間配管２０は、電磁弁キット２００ａ，２００ｂ，２００ｃと室内ユニット３００ａ，３００ｂ，３００ｃの室内熱交換器３０２ａ，３０２ｂ，３０２ｃの一端側とを接続する室内ユニット側液管３５０ａ，３５０ｂ，３５０ｃと、電磁弁キット２００ａ，２００ｂ，２００ｃと室内ユニット３００ａ，３００ｂ，３００ｃの室内熱交換器３０２ａ，３０２ｂ，３０２ｃの他端側とを接続するガス管３５１ａ，３５１ｂ，３５１ｃとを備える。
【００１５】
詳細には、高圧ガス管１２０は、室外ユニット１００と各電磁弁キット２００ａ，２００ｂ，２００ｃとを繋ぐ室外側高圧ガス管１５０と、電磁弁キット２００ａ，２００ｂ，２００ｃ内に設けられるキット内高圧ガス管１５１ａ，１５１ｂ，１５１ｃとを備える。
低圧ガス管１３０は、室外ユニット１００と各電磁弁キット２００ａ，２００ｂ，２００ｃとを繋ぐ室外側低圧ガス管１６０と、電磁弁キット２００ａ，２００ｂ，２００ｃ内に設けられるキット内低圧ガス管１６１ａ，１６１ｂ，１６１ｃとを備える。
液管１１０は、室外ユニット１００と各電磁弁キット２００ａ，２００ｂ，２００ｃとを繋ぐ室外側液管１７０と、電磁弁キット２００ａ，２００ｂ，２００ｃ内に設けられるキット内液管１７１ａ，１７１ｂ，１７１ｃとを備える。
【００１６】
電磁弁キット２００ａ，２００ｂ，２００ｃは、キット内高圧ガス管１５１ａ，１５１ｂ，１５１ｃと、キット内低圧ガス管１６１ａ，１６１ｂ，１６１ｃと、キット内液管１７１ａ，１７１ｂ，１７１ｃと、キット内高圧ガス管１５１ａ，１５１ｂ，１５１ｃに設けられる高圧ガス管電磁弁２０４ａ，２０４ｂ，２０４ｃ（電磁弁）と、キット内低圧ガス管１６１ａ，１６１ｂ，１６１ｃに設けられる低圧ガス管電磁弁２０６ａ，２０６ｂ，２０６ｃ（電磁弁）と、キット内高圧ガス管１５１ａ，１５１ｂ，１５１ｃとキット内低圧ガス管１６１ａ，１６１ｂ，１６１ｃとを接続するバランス管１５５ａ，１５５ｂ，１５５ｃと、バランス管１５５ａ，１５５ｂ，１５５ｃに設けられるバランス管電磁弁２０５ａ，２０５ｂ，２０５ｃ（電磁弁）とを備える。
【００１７】
また、電磁弁キット２００ａ，２００ｂ，２００ｃは、高圧ガス管電磁弁２０４ａ，２０４ｂ，２０４ｃをバイパスするようにキット内高圧ガス管１５１ａ，１５１ｂ，１５１ｃとキット内液管１７１ａ，１７１ｂ，１７１ｃとを接続するバイパス管２０１ａ，２０１ｂ，２０１ｃと、バイパス管２０１ａ，２０１ｂ，２０１ｃを流れる冷媒を減圧する減圧器２０３ａ，２０３ｂ，２０３ｃと、減圧器２０３ａ，２０３ｂ，２０３ｃを通過した後の冷媒と高圧ガス管電磁弁２０４ａ，２０４ｂ，２０４ｃ、低圧ガス管電磁弁２０６ａ，２０６ｂ，２０６ｃ及びバランス管電磁弁２０５ａ，２０５ｂ，２０５ｃとの間で熱交換を行う熱交換部２０２ａ，２０２ｂ，２０２ｃとを備える。
【００１８】
さらに、電磁弁キット２００ａ，２００ｂ，２００ｃは、筐体２１０ａ，２１０ｂ，２１０ｃを備え、これら筐体２１０ａ，２１０ｂ，２１０ｃには、キット内高圧ガス管１５１ａ，１５１ｂ，１５１ｃ、キット内低圧ガス管１６１ａ，１６１ｂ，１６１ｃ、キット内液管１７１ａ，１７１ｂ，１７１ｃ、高圧ガス管電磁弁２０４ａ，２０４ｂ，２０４ｃ、低圧ガス管電磁弁２０６ａ，２０６ｂ，２０６ｃ、バランス管１５５ａ，１５５ｂ，１５５ｃ、バランス管電磁弁２０５ａ，２０５ｂ，２０５ｃ、バイパス管２０１ａ，２０１ｂ，２０１ｃ、減圧器２０３ａ，２０３ｂ，２０３ｃ、及び、熱交換部２０２ａ，２０２ｂ，２０２ｃが収容される。
キット内高圧ガス管１５１ａ，１５１ｂ，１５１ｃとキット内低圧ガス管１６１ａ，１６１ｂ，１６１ｃとは、合流して１本の合流配管１７５ａ，１７５ｂ，１７５ｃとなる。ガス管３５１ａ，３５１ｂ，３５１ｃは、合流配管１７５ａ，１７５ｂ，１７５ｃに接続される。
【００１９】
減圧器２０３ａ，２０３ｂ，２０３ｃは、開度を調整可能な電動弁である。
四方弁１０３、室外膨張弁１０５、室内膨張弁３０１ａ，３０１ｂ，３０１ｃ、高圧ガス管電磁弁２０４ａ，２０４ｂ，２０４ｃ、バランス管電磁弁２０５ａ，２０５ｂ，２０５ｃ、低圧ガス管電磁弁２０６ａ，２０６ｂ，２０６ｃ、及び、減圧器２０３ａ，２０３ｂ，２０３ｃは、室外ユニット１００の制御部（不図示）によって開度や切り替え状態を制御される。また、上記制御部は、温度センサ（不図示）により検出される圧縮機１０１の吐出冷媒の温度を取得する。
【００２０】
バイパス管２０１ａ，２０１ｂ，２０１ｃは、筐体２１０ａ，２１０ｂ，２１０ｃ内でキット内高圧ガス管１５１ａ，１５１ｂ，１５１ｃとキット内液管１７１ａ，１７１ｂ，１７１ｃとを接続する冷媒配管である。バイパス管２０１ａ，２０１ｂ，２０１ｃの一端１８２ａ，１８２ｂ，１８２ｃ（冷媒回路の一端）は、高圧ガス管電磁弁２０４ａ，２０４ｂ，２０４ｃよりも、暖房運転の際の冷媒の流れ方向において上流側でキット内高圧ガス管１５１ａ，１５１ｂ，１５１ｃに接続される。
バイパス管２０１ａ，２０１ｂ，２０１ｃの他端１８３ａ，１８３ｂ，１８３ｃは、筐体２１０ａ，２１０ｂ，２１０ｃ内でキット内液管１７１ａ，１７１ｂ，１７１ｃに接続される。
減圧器２０３ａ，２０３ｂ，２０３ｃは、バイパス管２０１ａ，２０１ｂ，２０１ｃにおいて、一端１８２ａ，１８２ｂ，１８２ｃと他端１８３ａ，１８３ｂ，１８３ｃとの間に設けられる。
【００２１】
図２は、電磁弁キット２００ａの構成を側方から見た模式図である。各電磁弁キット２００ａ，２００ｂ，２００ｃは、同一に構成されているため、ここでは、代表して電磁弁キット２００ａについて詳細に説明し、電磁弁キット２００ｂ，２００ｃの説明は省略する。なお、電磁弁キット２００ａの上下方向は、図２の紙面の上下方向に一致する。
図２に示すように、キット内高圧ガス管１５１ａ、キット内低圧ガス管１６１ａ、キット内液管１７１ａ、及び、バイパス管２０１ａは、筐体２１０ａ内に配策されている。
【００２２】
バイパス管２０１ａは、一端１８２ａが、略水平方向に延びる断面円形のキット内高圧ガス管１５１ａの下部に接続され、他端１８３ａが、略水平方向に延びる断面円形のキット内液管１７１ａの下部に接続されている。詳細には、一端１８２ａは、キット内高圧ガス管１５１ａの下面の中央部に接続され、他端１８３ａは、キット内液管１７１ａの下面の中央部に接続されている。
キット内高圧ガス管１５１ａを流れる冷媒の一部は、キット内高圧ガス管１５１ａとキット内液管１７１ａとの間の冷媒の圧力差によって、バイパス管２０１ａに流入し、キット内高圧ガス管１５１ａからキット内液管１７１ａに流れる。
【００２３】
低圧ガス管電磁弁２０６ａは、キット内低圧ガス管１６１ａの流路を開閉する電磁弁本体２０７と、電磁弁本体２０７を駆動する電磁コイル２０８とを備える。また、図２では不図示であるが、高圧ガス管電磁弁２０４ａ及びバランス管電磁弁２０５ａも、同様に、電磁弁本体２０７と電磁コイル２０８とをそれぞれ備える。
【００２４】
熱交換部２０２ａは、減圧器２０３ａを通過した後の冷媒と、低圧ガス管電磁弁２０６ａ、バランス管電磁弁２０５ａ及び高圧ガス管電磁弁２０４ａの各電磁コイル２０８との間で熱交換を行う部分である。
本実施の形態では、熱交換部２０２ａは、バイパス管２０１ａの外周部において減圧器２０３ａの下流側の部分と各電磁コイル２０８とが接触する部分であり、この接触部で熱伝導が行われる。低圧ガス管電磁弁２０６ａ、バランス管電磁弁２０５ａ及び高圧ガス管電磁弁２０４ａの各電磁コイル２０８は、バイパス管２０１ａの軸方向に並べて配置され、バイパス管２０１ａの外周部に順に接触する。
すなわち、熱交換部２０２ａでは、減圧器２０３ａの下流側でバイパス管２０１ａを流れる冷媒との間の熱交換によって、各電磁コイル２０８が冷却される。熱交換部２０２ａは、各電磁コイル２０８にバイパス管２０１ａを巻き付けて構成されていても良い。
【００２５】
また、熱交換部２０２ａでは、バイパス管２０１ａの外周部と各電磁コイル２０８とが熱交換可能であれば、どのように接触していても良い。例えば、バイパス管２０１ａの外周部と各電磁コイル２０８とを単に接触させても良く、また、バイパス管２０１ａの外周部を各電磁コイル２０８に半田等で結合させても良く、また、バイパス管２０１ａの外周部と各電磁コイル２０８との間に、熱伝導シートや熱伝導グリス等の熱伝導部材を介在させても良い。
【００２６】
次に、室外ユニット１００、室内ユニット３００ａ，３００ｂ，３００ｃ、及び、電磁弁キット２００ａ，２００ｂ，２００ｃの冷房運転時の動作を説明する。
図１には、冷房運転時の状態が図示されている。冷房運転時には、四方弁１０３は、図１の四方弁１０３中の実線の方向に冷媒を流すように設定される。また、冷房運転時には、高圧ガス管電磁弁２０４ａ，２０４ｂ，２０４ｃは閉状態とされ、バランス管電磁弁２０５ａ，２０５ｂ，２０５ｃ及び低圧ガス管電磁弁２０６ａ，２０６ｂ，２０６ｃは開状態とされる。冷房運転時の冷媒の流れ方向は、図１に実線及び破線の矢印で図示されている。
【００２７】
圧縮機１０１から吐出された高温高圧のガス冷媒は、オイルセパレータ１０２により冷凍機油が分離された後、四方弁１０３を通過し、室外熱交換器１０４に流入する。室外熱交換器１０４により外気に放熱して凝縮した高圧液冷媒は、室外膨張弁１０５を通過した後、液管１１０に流れる。このとき、室外膨張弁１０５は、室外熱交換器１０４の出口の冷媒の過冷却度が所定の値となるように開度が制御される。
液管１１０に流れた高圧液冷媒は、室外側液管１７０を流れ、電磁弁キット２００ａ，２００ｂ，２００ｃに流入し、キット内液管１７１ａ，１７１ｂ，１７１ｃを流れ、室内ユニット側液管３５０ａ，３５０ｂ，３５０ｃを通って室内ユニット３００ａ，３００ｂ，３００ｃに流れる。この冷媒は、室内ユニット３００ａ，３００ｂ，３００ｃの室内膨張弁３０１ａ，３０１ｂ，３０１ｃを通過して低圧低温の気液二層となり、室内熱交換器３０２ａ，３０２ｂ，３０２ｃで蒸発することで、室内を冷房する。
【００２８】
室内熱交換器３０２ａ，３０２ｂ，３０２ｃで低圧ガス状態となった冷媒は、ガス管３５１ａ，３５１ｂ，３５１ｃを通って電磁弁キット２００ａ，２００ｂ，２００ｃに流入し、キット内低圧ガス管１６１ａ，１６１ｂ，１６１ｃを流れる。キット内低圧ガス管１６１ａ，１６１ｂ，１６１ｃを流れる冷媒は、室外側低圧ガス管１６０を通って室外ユニット１００に流入し、圧縮機１０１に吸い込まれる。
【００２９】
また、冷房運転時には、圧縮機１０１から吐出された高温高圧のガス冷媒の一部は、四方弁１０３側ではなく、破線の矢印で示すように、室外側高圧ガス管１５０に流れ、電磁弁キット２００ａ，２００ｂ，２００ｃのキット内高圧ガス管１５１ａ，１５１ｂ，１５１ｃに流入する。
冷房運転時には、高圧ガス管電磁弁２０４ａ，２０４ｂ，２０４ｃは閉状態であるため、キット内高圧ガス管１５１ａ，１５１ｂ，１５１ｃに流入した冷媒は、バイパス管２０１ａ，２０１ｂ，２０１ｃに流れる。
【００３０】
バイパス管２０１ａ，２０１ｂ，２０１ｃに流れた冷媒は、減圧器２０３ａ，２０３ｂ，２０３ｃで減圧されて低温になる。この低温になった冷媒は、熱交換部２０２ａ，２０２ｂ，２０２ｃを通る際に電磁弁キット２００ａ，２００ｂ，２００ｃの各電磁コイル２０８と熱交換し、各電磁コイル２０８を冷却する。詳細には、室内ユニット３００ａ，３００ｂ，３００ｃの高圧ガス管電磁弁２０４ａ，２０４ｂ，２０４ｃ、バランス管電磁弁２０５ａ，２０５ｂ，２０５ｃ、及び、低圧ガス管電磁弁２０６ａ，２０６ｂ，２０６ｃの各電磁コイル２０８が、熱交換部２０２ａ，２０２ｂ，２０２ｃで冷却される。
熱交換部２０２ａ，２０２ｂ，２０２ｃで熱交換した冷媒は、キット内液管１７１ａ，１７１ｂ，１７１ｃを流れる冷媒に合流し、室内ユニット３００ａ，３００ｂ，３００ｃ側に流れる。ここで、減圧器２０３ａ，２０３ｂ，２０３ｃは、キット内液管１７１ａ，１７１ｂ，１７１ｃに合流後の冷媒の過冷却度が所定の値となるように開度を制御される。
【００３１】
本第１の実施の形態では、高圧ガス管１２０からバイパス管２０１ａ，２０１ｂ，２０１ｃに流れ、減圧器２０３ａ，２０３ｂ，２０３ｃにより低温となった冷媒で各電磁コイル２０８を冷却できるため、各電磁コイル２０８の温度上昇を抑制できる。さらに、冷房運転時に高圧ガス管１２０に流れる冷媒を、バイパス管２０１ａ，２０１ｂ，２０１ｃから液管１１０に戻すことができるため、冷房運転時に高圧ガス管１２０に冷媒が溜まることによる冷媒不足を回避することができる。
【００３２】
また、空気調和装置１０の起動直後やオイル回収運転を実施した直後、または、直前まで暖房運転や冷暖混在運転をしていた場合など、高圧ガス管１２０の冷媒の溜まり量が少ない時は、空気調和装置１０は、室外ユニット１００からの信号を受けて減圧器２０３ａ，２０３ｂ，２０３ｃを所定時間だけ全閉にする。すなわち、冷房運転時において冷媒の溜まり量が少ない時は、減圧器２０３ａ，２０３ｂ，２０３ｃはバイパス管２０１ａ，２０１ｂ，２０１ｃに冷媒が流れないように制御される。そして、減圧器２０３ａ，２０３ｂ，２０３ｃは、所定時間経過して高圧ガス管１２０に冷媒が溜まり始めてから開方向に制御される。
これにより、高圧ガス管１２０に冷媒が溜まっていない時に、バイパス管２０１ａ，２０１ｂ，２０１ｃを通って液管１１０に冷媒が過剰にバイパスしなくなる。このため、室外熱交換器１０４の出口の冷媒の過冷却度が小さくなることによる冷房能力の低下を抑制することができる。
【００３３】
また、バイパス管２０１ａ，２０１ｂ，２０１ｃの一端１８２ａ，１８２ｂ，１８２ｃは、高圧ガス管１２０のキット内高圧ガス管１５１ａ，１５１ｂ，１５１ｃの下部（図２参照）に接続されている。これにより、高圧ガス管１２０に溜まる冷媒の内、下部に溜る液冷媒を優先してバイパス管２０１ａ，２０１ｂ，２０１ｃに導くことができる。このため、各電磁コイル２０８を迅速に冷却できる。
さらに、バイパス管２０１ａ，２０１ｂ，２０１ｃの他端１８３ａ，１８３ｂ，１８３ｃは、液管１１０のキット内液管１７１ａ，１７１ｂ，１７１ｃ下部（図２参照）に接続されている。これにより、液管１１０の過冷却度が十分に取れずに気液二相状態で冷媒が流れているような状況で、高圧ガス管１２０の下部に溜る液冷媒と一緒に冷凍機油が戻った場合でも、冷凍機油は液管１１０の下部に流れる液冷媒と合流するため、冷凍機油を圧縮機１０１側に円滑に戻すことができる。
【００３４】
図３は、暖房運転時における空気調和装置１０の冷媒回路図である。
暖房運転時には、四方弁１０３は、図３の四方弁１０３中の実線の方向に冷媒を流すように設定される。また、冷房運転時には、高圧ガス管電磁弁２０４ａ，２０４ｂ，２０４ｃは開状態とされ、バランス管電磁弁２０５ａ，２０５ｂ，２０５ｃ及び低圧ガス管電磁弁２０６ａ，２０６ｂ，２０６ｃは閉状態とされる。暖房運転時の冷媒の流れ方向は、図３に実線及び破線の矢印で図示されている。
【００３５】
圧縮機１０１から吐出された高温高圧のガス冷媒は、オイルセパレータ１０２により冷凍機油が分離された後、高圧ガス管１２０に流れ、室外側高圧ガス管１５０を通って電磁弁キット２００ａ，２００ｂ，２００ｃに流入し、キット内高圧ガス管１５１ａ，１５１ｂ，１５１ｃを流れる。キット内高圧ガス管１５１ａ，１５１ｂ，１５１ｃを流れる冷媒は、ガス管３５１ａ，３５１ｂ，３５１ｃを通って室内ユニット３００ａ，３００ｂ，３００ｃに流入し、室内熱交換器３０２ａ，３０２ｂ，３０２ｃで凝縮することで室内を暖房する。室内熱交換器３０２ａ，３０２ｂ，３０２ｃを通過した冷媒は、室内膨張弁３０１ａ，３０１ｂ，３０１ｃ及び室内ユニット側液管３５０ａ，３５０ｂ，３５０ｃを通って電磁弁キット２００ａ，２００ｂ，２００ｃに流入する。このとき、室内膨張弁３０１ａ，３０１ｂ，３０１ｃは、室内熱交換器３０２ａ，３０２ｂ，３０２ｃの出口における冷媒の過冷却度が設定値となるように開度を制御される。
電磁弁キット２００ａ，２００ｂ，２００ｃに流入した冷媒は、キット内液管１７１ａ，１７１ｂ，１７１ｃを通って室外側液管１７０に流れ、室外ユニット１００に流入する。室外ユニット１００に流入した冷媒は、室外膨張弁１０５を通過して低圧低温の気液二層状態となり、室外熱交換器１０４で吸熱して蒸発し、低圧ガス状態となり、四方弁１０３を通って圧縮機１０１に吸い込まれる。
【００３６】
また、暖房運転時には、圧縮機１０１から吐出されてキット内高圧ガス管１５１ａ，１５１ｂ，１５１ｃを通る冷媒の一部は、図３に破線の矢印で示すように、分岐してバイパス管２０１ａ，２０１ｂ，２０１ｃに流れる。
バイパス管２０１ａ，２０１ｂ，２０１ｃに流れた冷媒は、減圧器２０３ａ，２０３ｂ，２０３ｃで減圧されて低温になる。この低温になった冷媒は、熱交換部２０２ａ，２０２ｂ，２０２ｃを通る際に室内ユニット３００ａ，３００ｂ，３００ｃの各電磁コイル２０８と熱交換し、各電磁コイル２０８を冷却する。詳細には、室内ユニット３００ａ，３００ｂ，３００ｃの高圧ガス管電磁弁２０４ａ，２０４ｂ，２０４ｃ、バランス管電磁弁２０５ａ，２０５ｂ，２０５ｃ、及び、低圧ガス管電磁弁２０６ａ，２０６ｂ，２０６ｃの各電磁コイル２０８が、熱交換部２０２ａ，２０２ｂ，２０２ｃで冷却される。
【００３７】
熱交換部２０２ａ，２０２ｂ，２０２ｃで熱交換した冷媒は、キット内液管１７１ａ，１７１ｂ，１７１ｃを流れる冷媒に合流し、室外ユニット１００側に流れる。このとき、減圧器２０３ａ，２０３ｂ，２０３ｃは、圧縮機１０１の吐出冷媒の温度が所定の値以上となる場合は、吐出冷媒の温度に応じて所定の開度となるように制御され、熱交換部２０２ａ，２０２ｂ，２０２ｃによる冷却能力が増加させられる。
暖房運転が行われる場合は、外気の温度が低く、電磁弁キット２００ａ，２００ｂ，２００ｃが設置場所の周囲温度も低いため、圧縮機１０１の出力は大きくなる。このため、キット内高圧ガス管１５１ａ，１５１ｂ，１５１ｃに接続される高圧ガス管電磁弁２０４ａ，２０４ｂ，２０４ｃの各電磁コイル２０８の温度上昇も大きくなるが、圧縮機１０１の吐出冷媒の温度に応じて減圧器２０３ａ，２０３ｂ，２０３ｃの開度を調整することで、各電磁コイル２０８を効果的に冷却できる。
【００３８】
また、暖房運転に、圧縮機１０１の吐出冷媒の温度が所定の値未満となっている場合、減圧器２０３ａ，２０３ｂ，２０３ｃは全閉、或は、開度を小さくするように制御され、キット内高圧ガス管１５１ａ，１５１ｂ，１５１ｃからバイパス管２０１ａ，２０１ｂ，２０１ｃに流れる冷媒が少なくなる。これにより、各電磁コイル２０８は、主として周囲の外気に対する自然放熱によって冷却され、過剰に冷却されることが防止される。さらに、バイパス管２０１ａ，２０１ｂ，２０１ｃを通って室内ユニット３００ａ，３００ｂ，３００ｃをバイパスする冷媒の量が小さくなるため、室内熱交換器３０２ａ，３０２ｂ，３０２ｃを冷媒がバイパスすることによる暖房性能の低下を回避することができる。
【００３９】
図４は、冷暖混在運転時における空気調和装置１０の冷媒回路図である。図４では、室外熱交換器１０４を凝縮器として使用する場合の冷暖混在運転の状態が示されている。
図４の冷暖混在運転時には、四方弁１０３は、四方弁１０３中の実線の方向に冷媒を流すように設定される。また、冷暖混在運転時には、高圧ガス管電磁弁２０４ａ，２０４ｃは閉状態とされ、高圧ガス管電磁弁２０４ｂは閉状態とされ、バランス管電磁弁２０５ａ，２０５ｃは開状態とされ、バランス管電磁弁２０５ｂは閉状態とされ、低圧ガス管電磁弁２０６ａ，２０６ｃは開状態とされ、低圧ガス管電磁弁２０６ｂは閉状態とされる。
冷暖混在運転時の冷媒の流れ方向は、図４に実線及び破線の矢印で図示されている。
【００４０】
図４では、冷暖混在運転の一例として、室内ユニット３００ａ，３００ｃが冷房運転され、室内ユニット３００ｂが暖房運転される状態が図示されている。
図４では室外熱交換器１０４を凝縮器として使用するため、四方弁１０３は、図４の四方弁１０３中の実線の方向に冷媒を流すように設定される。
圧縮機１０１から吐出された高温高圧のガス冷媒は、オイルセパレータ１０２により冷凍機油が分離された後、２方向に分岐し、一方は冷房用として四方弁１０３に流れて室外熱交換器１０４に流入し、他方は暖房用として高圧ガス管１２０に流れる。
室外熱交換器１０４に流入した冷媒は、室外熱交換器１０４で外気に放熱して凝縮し、高温液冷媒となってから室外膨張弁１０５を通過し、その後、液管１１０に流れる。このとき、室外膨張弁１０５は、室外熱交換器１０４の出口の冷媒の過冷却度が所定の値となるように制御される。
【００４１】
液管１１０に流れた高圧液冷媒は、室外側液管１７０を通って電磁弁キット２００ａ，２００ｃに流入し、キット内液管１７１ａ，１７１ｃ及び室内ユニット側液管３５０ａ，３５０ｃを経て室内ユニット３００ａ，３００ｃに流入する。
室内ユニット３００ａ，３００ｃに流入した冷媒は、室内膨張弁３０１ａ，３０１ｃで低圧低温の気液二層となり、室内熱交換器３０２ａ，３０２ｃで蒸発することで室内を冷房する。室内熱交換器３０２ａ，３０２ｃで低圧ガス状態となった冷媒は、室内ユニット３００ａ，３００ｃに流入し、キット内低圧ガス管１６１ａ，１６１ｃ及び室外側低圧ガス管１６０を通って室外ユニット１００に流入し、圧縮機１０１に吸い込まれる。
【００４２】
圧縮機１０１から吐出されて、上記他方側に分岐して高圧ガス管１２０に流れた冷媒の一部は、図４に破線の矢印で示されるように、キット内高圧ガス管１５１ａ，１５１ｃを通ってバイパス管２０１ａ，２０１ｃに流れる。
バイパス管２０１ａ，２０１ｃに流れた冷媒は、減圧器２０３ａ，２０３ｃで減圧されて低温になる。この低温になった冷媒は、熱交換部２０２ａ，２０２ｃを通る際に室内ユニット３００ａ，３００ｃの各電磁コイル２０８と熱交換し、各電磁コイル２０８を冷却する。詳細には、室内ユニット３００ａ，３００ｃの高圧ガス管電磁弁２０４ａ，２０４ｃ、バランス管電磁弁２０５ａ，２０５ｃ、及び、低圧ガス管電磁弁２０６ａ，２０６ｃの各電磁コイル２０８が、熱交換部２０２ａ，２０２ｃで冷却される。
熱交換部２０２ａ，２０２ｃで熱交換した冷媒は、キット内液管１７１ａ，１７１ｃを流れる冷媒に合流し、室内ユニット３００ａ，３００ｃ側に流れる。ここで、減圧器２０３ａ，２０３ｃは、キット内液管１７１ａ，１７１ｃに合流後の冷媒の過冷却度が所定の値となるように開度を制御される。
【００４３】
また、冷暖混在運転時には、冷媒配管が全て使用され、冷媒配管への冷媒の溜まりが発生しないため、この溜まりを防止する目的では、バイパス管２０１ａ，２０１ｃに冷媒を流す必要がない。このため、室外ユニット１００は、外気温度センサ（不図示）から取得した外気温度が所定の値未満の場合には、減圧器２０３ａ，２０３ｃを全閉とし、バイパス管２０１ａ，２０１ｃに冷媒を流さないように制御を行う。冷房運転を実施している室内ユニット３００ａ，３００ｃに接続されている電磁弁キット２００ａ，２００ｃでは、内部を流れる冷媒が低温になるため、電磁弁キット２００ａ，２００ｃの各電磁コイル２０８の温度上昇は、各電磁コイル２０８の周囲の温度に依存する。この周囲の温度は、外気温度に影響されるため、外気温度が所定の値未満の場合には、バイパス管２０１ａ，２０１ｃに冷媒を流さずに、各電磁コイル２０８を自然放熱させることで、バイパス管２０１ａ，２０１ｃに不必要に冷媒が流れることを防止できる。
このため、室外熱交換器１０４を通過していない冷媒がバイパス管２０１ａ，２０１ｃから液管１１０に過剰に流入することを防止でき、室外熱交換器１０４の出口の過冷却度が小さくなることによる冷房能力の低下を抑制できる。
【００４４】
また、室外ユニット１００は、外気温度センサ（不図示）から取得した外気温度が所定の値以上の場合には、減圧器２０３ａ，２０３ｃの開度を外気温度に応じて所定の開度となるように開く。これにより、減圧器２０３ａ，２０３ｃを通過して低温になった冷媒で各電磁コイル２０８を冷却できるため、各電磁コイル２０８の温度上昇を効果的に抑制できる。
また、バイパス管２０１ａ，２０１ｃの一端１８２ａ，１８２ｃは、キット内高圧ガス管１５１ａ，１５１ｃの下部に接続され、他端１８３ａ，１８３ｃは、キット内液管１７１ａ，１７１ｃの下部に接続されている。これにより、キット内高圧ガス管１５１ａ，１５１ｃの下部に溜まる冷凍機油をキット内液管１７１ａ，１７１ｃの下部に戻すことができるため、冷凍機油を円滑に圧縮機１０１に戻すことができる。
【００４５】
圧縮機１０１から吐出されて、上記他方側に分岐して高圧ガス管１２０に流れた冷媒の残りは、室外側高圧ガス管１５０を流れ、電磁弁キット２００ｂに流入する。電磁弁キット２００ｂに流入した高温高圧の冷媒は、キット内高圧ガス管１５１ｂ及びガス管３５１ｂを通って室内ユニット３００ｂに流入する。
室内ユニット３００ｂに流入した冷媒は、室内熱交換器３０２ｂで凝縮することで室内を暖房する。このとき、室内膨張弁３０１ｂは、室内熱交換器３０２ｂの出口における冷媒の過冷却度が設定値になるように開度を制御される。室内熱交換器３０２ｂを通過した高圧液冷媒は、室内ユニット側液管３５０ｂを通って電磁弁キット２００ｂに流入し、キット内液管１７１ｂを通って室外側液管１７０に合流する。
【００４６】
上記他方側に分岐して高圧ガス管１２０に流れた冷媒の残りの一部は、図４に破線の矢印で示すように、バイパス管２０１ｂに流れる。バイパス管２０１ｂに流れた冷媒は、減圧器２０３ｂで減圧されて低温になる。この低温になった冷媒は、熱交換部２０２ｂを通る際に室内ユニット３００ｂの各電磁コイル２０８と熱交換し、各電磁コイル２０８を冷却する。詳細には、室内ユニット３００ｂの高圧ガス管電磁弁２０４ｂ、バランス管電磁弁２０５ｂ、及び、低圧ガス管電磁弁２０６ｂの各電磁コイル２０８が、熱交換部２０２ｂで冷却される。熱交換部２０２ｂを通過した冷媒は、キット内液管１７１ｂに合流し、室外ユニット１００側に流れる。
【００４７】
このとき、減圧器２０３ｂは、圧縮機１０１の吐出冷媒の温度が所定の値以上となる場合に要求される吐出冷媒の温度に応じた所定の開度と、外気温度が所定の値以上となる場合に要求される外気温度に応じた所定の開度との内、大なる開度となるように開度を制御される。
暖房運転を実施している室内ユニット３００ｂに接続される電磁弁キット２００ｂでは、内部を流れる冷媒は高温となるため、電磁コイル２０８の温度上昇は、内部を流れる冷媒温度と電磁コイル２０８の周囲の温度（外気温度）との両方に影響される。本実施の形態では、減圧器２０３ｂの開度を、吐出冷媒の温度に応じた所定の開度と、外気温度に応じた所定の開度との内の、大なる開度とするため、吐出冷媒の温度と外気温度との内で影響が大きな方に対応でき、各電磁コイル２０８の温度の上昇に対する対処が安全側となる。このため、各電磁コイル２０８の温度上昇を効果的に抑制できる。
【００４８】
また、圧縮機１０１の吐出冷媒の温度が所定の値所定の値未満で、且つ、外気温度が所定の値未満である場合、減圧器２０３ｂは全閉、或は、開度を小さくに制御される。これにより、バイパス管２０１ｂに流れる冷媒が少なくなり、室内ユニット３００ｂをバイパスしてキット内液管１７１ｂに流れる冷媒量が少なくなるため、冷媒が室内ユニット３００ｂをバイパスすることによる暖房性能の低下を回避できる。この場合、各電磁コイル２０８は、周囲への自然放熱により冷却される。
【００４９】
以上説明したように、本発明を適用した第１の実施の形態によれば、空気調和装置１０は、室外ユニット１００と、複数台の室内ユニット３００ａ，３００ｂ，３００ｃと、室外ユニット１００を複数台の室内ユニット３００ａ，３００ｂ，３００ｃ側に接続する高圧ガス管１２０、液管１１０、及び、低圧ガス管１３０とを備え、冷房運転の時は室内ユニット３００ａ，３００ｂ，３００ｃと低圧ガス管１３０とを連通させるとともに、暖房運転の時は高圧ガス管１２０と室内ユニット３００ａ，３００ｂ，３００ｃとを連通させるように切り替えられる高圧ガス管電磁弁２０４ａ，２０４ｂ，２０４ｃ及び低圧ガス管電磁弁２０６ａ，２０６ｂ，２０６ｃを備え、少なくとも１台の室内ユニット３００ａ，３００ｂ，３００ｃを冷房もしくは暖房のいずれか一方で運転可能であり、且つ、複数台の室内ユニット３００ａ，３００ｂ，３００ｃを冷房及び暖房を混在して運転可能であり、高圧ガス管１２０の冷媒を減圧し液管１１０に流す減圧器２０３ａ，２０３ｂ，２０３ｃと、減圧器２０３ａ，２０３ｂ，２０３ｃを通過した後の冷媒と高圧ガス管電磁弁２０４ａ，２０４ｂ，２０４ｃ及び低圧ガス管電磁弁２０６ａ，２０６ｂ，２０６ｃの各電磁コイル２０８との熱交換を行う熱交換部２０２ａ，２０２ｂ，２０２ｃとを備える。これにより、高圧ガス管１２０の冷媒が減圧器２０３ａ，２０３ｂ，２０３ｃで減圧され、減圧器２０３ａ，２０３ｂ，２０３ｃで減圧された冷媒と各電磁コイル２０８とを熱交換部２０２ａ，２０２ｂ，２０２ｃで熱交換して各電磁コイル２０８を冷却できるため、各電磁コイル２０８の温度上昇を効果的に抑制できる。また、冷房運転時に不使用となる高圧ガス管１２０の冷媒を減圧器２０３ａ，２０３ｂ，２０３ｃを通過する冷媒として液管１１０に戻すことができるため、高圧ガス管１２０に冷媒が溜まることによる冷媒不足を回避することができる。
【００５０】
また、空気調和装置１０は、室外ユニット１００と複数台の室内ユニット３００ａ，３００ｂ，３００ｃとの間に接続される電磁弁キット２００ａ，２００ｂ，２００ｃを備え、電磁弁キット２００ａ，２００ｂ，２００ｃは、高圧ガス管１２０、液管１１０、及び、低圧ガス管１３０で室外ユニット１００に接続されるとともに、室内ユニット側液管３５０ａ，３５０ｂ，３５０ｃ及びガス管３５１ａ，３５１ｂ，３５１ｃで室内ユニット３００ａ，３００ｂ，３００ｃに接続され、高圧ガス管１２０は、電磁弁キット２００ａ，２００ｂ，２００ｃ内に配置されるキット内高圧ガス管１５１ａ，１５１ｂ，１５１ｃを備え、液管１１０は、電磁弁キット２００ａ，２００ｂ，２００ｃ内に配置されるキット内液管１７１ａ，１７１ｂ，１７１ｃを備え、低圧ガス管１３０は、電磁弁キット２００ａ，２００ｂ，２００ｃ内に配置されるキット内低圧ガス管１６１ａ，１６１ｂ，１６１ｃを備え、高圧ガス管電磁弁２０４ａ，２０４ｂ，２０４ｃ及び低圧ガス管電磁弁２０６ａ，２０６ｂ，２０６ｃは、冷房運転の時はガス管３５１ａ，３５１ｂ，３５１ｃとキット内低圧ガス管１６１ａ，１６１ｂ，１６１ｃとを連通させるとともに、暖房運転の時はキット内高圧ガス管１５１ａ，１５１ｂ，１５１ｃとガス管３５１ａ，３５１ｂ，３５１ｃとを連通させるように切り替えられ、高圧ガス管１２０と液管１１０とを減圧器２０３ａ，２０３ｂ，２０３ｃを介して接続する冷媒回路は、キット内高圧ガス管１５１ａ，１５１ｂ，１５１ｃとキット内液管１７１ａ，１７１ｂ，１７１ｃとを接続するバイパス管２０１ａ，２０１ｂ，２０１ｃである。これにより、電磁弁キット２００ａ，２００ｂ，２００ｃに配置されるキット内高圧ガス管１５１ａ，１５１ｂ，１５１ｃとキット内液管１７１ａ，１７１ｂ，１７１ｃとを接続するバイパス管２０１ａ，２０１ｂ，２０１ｃを流れる冷媒で各電磁コイル２０８を冷却できるため、簡単な構成で各電磁コイル２０８の温度上昇を効果的に抑制できる。
また、高圧ガス管電磁弁２０４ａ，２０４ｂ，２０４ｃ及び低圧ガス管電磁弁２０６ａ，２０６ｂ，２０６ｃを電磁弁キット２００ａ，２００ｂ，２００ｃの外側に露出させなくとも熱交換部２０２ａ，２０２ｂ，２０２ｃで冷却できる。このため、高圧ガス管電磁弁２０４ａ，２０４ｂ，２０４ｃ及び低圧ガス管電磁弁２０６ａ，２０６ｂ，２０６ｃの作動音が外側に漏れることを抑制でき、電磁弁キット２００ａ，２００ｂ，２００ｃの静音化を図ることができる。
【００５１】
また、電磁弁キット２００ａ，２００ｂ，２００ｃが、コーナー部などの壁に囲まれた通気性の悪い場所に設けられる場合や、屋上近くに設置されて日射の影響を強く受ける場合や、近くに発熱体がある場合など、周囲の温度が高くなる場合でも、減圧器２０３ａ，２０３ｂ，２０３ｃにより低温となった冷媒で冷却することで、各電磁コイル２０８の温度上昇を抑制することができる。
さらに、ファンなどによる送風で各電磁コイル２０８を冷却する構成に比して、騒音を発生させずに各電磁コイル２０８を冷却できる。
【００５２】
また、高圧ガス管１２０と液管１１０とを減圧器２０３ａ，２０３ｂ，２０３ｃを介して接続する冷媒回路であるバイパス管２０１ａ，２０１ｂ，２０１ｃの一端１８２ａ，１８２ｂ，１８２ｃは、高圧ガス管１２０の下部に接続されており、冷房運転時に不使用となる高圧ガス管１２０内に溜まった冷媒の内の液冷媒は、高圧ガス管１２０の下部に溜まるため、液冷媒をバイパス管２０１ａ，２０１ｂ，２０１ｃから優先的に液管１１０に戻すことができる。
【００５３】
また、電磁弁キット２００ａ，２００ｂ，２００ｃは、高圧ガス管１２０であるキット内高圧ガス管１５１ａ，１５１ｂ，１５１ｃと、低圧ガス管１３０であるキット内低圧ガス管１６１ａ，１６１ｂ，１６１ｃと、液管１１０であるキット内液管１７１ａ，１７１ｂ，１７１ｃと、室内ユニット３００ａ，３００ｂ，３００ｃに接続されるガス管３５１ａ，３５１ｂ，３５１ｃを、冷房運転の時はキット内低圧ガス管１６１ａ，１６１ｂ，１６１ｃに連通させるとともに、暖房運転の時はキット内高圧ガス管１５１ａ，１５１ｂ，１５１ｃに連通させるように切り替えられる高圧ガス管電磁弁２０４ａ，２０４ｂ，２０４ｃ及び低圧ガス管電磁弁２０６ａ，２０６ｂ，２０６ｃと、キット内高圧ガス管１５１ａ，１５１ｂ，１５１ｃの冷媒を減圧しキット内液管１７１ａ，１７１ｂ，１７１ｃに流す減圧器２０３ａ，２０３ｂ，２０３ｃと、減圧器２０３ａ，２０３ｂ，２０３ｃを通過した後の冷媒と高圧ガス管電磁弁２０４ａ，２０４ｂ，２０４ｃ及び低圧ガス管電磁弁２０６ａ，２０６ｂ，２０６ｃの各電磁コイル２０８との熱交換を行う熱交換部２０２ａ，２０２ｂ，２０２ｃとを備える。これにより、キット内高圧ガス管１５１ａ，１５１ｂ，１５１ｃの冷媒が減圧器２０３ａ，２０３ｂ，２０３ｃで減圧され、減圧器２０３ａ，２０３ｂ，２０３ｃで減圧された冷媒と各電磁コイル２０８とを熱交換部２０２ａ，２０２ｂ，２０２ｃで熱交換して各電磁コイル２０８を冷却できるため、各電磁コイル２０８の温度上昇を効果的に抑制できる。
【００５４】
なお、上記第１の実施の形態は本発明を適用した一態様を示すものであって、本発明は上記第１の実施の形態に限定されるものではない。
上記第１の実施の形態では、バイパス管２０１ａ，２０１ｂ，２０１ｃは、電磁弁キット２００ａ，２００ｂ，２００ｃの内側に設けられるものとして説明したが、本発明はこれに限定されるものではない。例えば、バイパス管は、電磁弁キットの外側で高圧ガス管１２０と液管１１０とを接続するものであっても良い。
また、上記第１の実施の形態では、減圧器２０３ａ，２０３ｂ，２０３ｃは、電動弁であるものとして説明したが、キャピラリーチューブであっても良い。
また、上記第１の実施の形態では、高圧ガス管電磁弁２０４ａ，２０４ｂ，２０４ｃ、バランス管電磁弁２０５ａ，２０５ｂ，２０５ｃ、及び、低圧ガス管電磁弁２０６ａ，２０６ｂ，２０６ｃの各電磁コイル２０８を熱交換部２０２ａ，２０２ｂ，２０２ｃで冷却する例を挙げて説明したが、本発明はこれに限定されるものではなく、一部の電磁コイル２０８のみを熱交換部で冷却する構成としても良い。例えば、温度上昇が大きな高圧ガス管電磁弁２０４ａ，２０４ｂ，２０４ｃの電磁コイル２０８のみを熱交換部で冷却する構成としても良い。
さらに、上記第１の実施の形態では、熱交換部２０２ａは、バイパス管２０１ａの外周部が電磁コイル２０８に接触する部分であるものとして説明したが、本発明はこれに限定されるものではない。熱交換部は、バイパス管と電磁コイルとの間で熱交換して電磁コイルを冷却可能であれば、バイパス管と電磁コイルとが非接触であっても良い。また、熱交換部は、バイパス管の熱が熱交換されるパネル型熱交換器や２重管構造で構成されても良い。
【００５５】
［第２の実施の形態］
以下、図５を参照して、本発明を適用した第２の実施の形態について説明する。この第２の実施の形態において、上記第１の実施の形態と同様に構成される部分については、同符号を付して説明を省略する。
上記第１の実施の形態では、電磁弁キット２００ａ，２００ｂ，２００ｃが室内ユニット３００ａ，３００ｂ，３００ｃにそれぞれ設けられる構成を説明したが、本第２の実施の形態は、複数の室内ユニット３００ａ，３００ｂ，３００ｃに対して、１台の集合電磁弁キット６００（電磁弁キット）が設けられる点等が、上記第１の実施の形態と異なる。また、これに伴い、バイパス管６０１は１本に集約されている。
【００５６】
図５は、第２の実施の形態における空気調和装置４１０の冷媒回路図である。
空気調和装置４１０は、室外ユニット１００と、室外ユニット１００に接続される複数台の室内ユニット３００ａ，３００ｂ，３００ｃと、室外ユニット１００と室内ユニット３００ａ，３００ｂ，３００ｃとを接続するユニット間配管４２０と、室外ユニット１００と室内ユニット３００ａ，３００ｂ，３００ｃとの間に接続される集合電磁弁キット６００とを備える。
【００５７】
ユニット間配管４２０は、圧縮機１０１の吐出管１０１ａ側と集合電磁弁キット６００とを接続する高圧ガス管５２０と、圧縮機１０１の吸込管１０１ｂ側と集合電磁弁キット６００とを接続する低圧ガス管５３０と、室外熱交換器１０４の他端側と集合電磁弁キット６００とを接続する液管５１０とを備える。
また、ユニット間配管４２０は、集合電磁弁キット６００と室内ユニット３００ａ，３００ｂ，３００ｃの室内熱交換器３０２ａ，３０２ｂ，３０２ｃの一端側とを接続する室内ユニット側液管３５０ａ，３５０ｂ，３５０ｃと、集合電磁弁キット６００と室内ユニット３００ａ，３００ｂ，３００ｃの室内熱交換器３０２ａ，３０２ｂ，３０２ｃの他端側とを接続するガス管３５１ａ，３５１ｂ，３５１ｃとを備える。
【００５８】
詳細には、高圧ガス管５２０は、室外ユニット１００と集合電磁弁キット６００とを繋ぐ室外側高圧ガス管５５０と、集合電磁弁キット６００内に設けられるキット内高圧ガス管５５１とを備える。このキット内高圧ガス管５５１は、室内ユニット３００ａ，３００ｂ，３００ｃに跨って配置される内部高圧ガス管５５８と、内部高圧ガス管５５８から室内ユニット３００ａ，３００ｂ，３００ｃに分岐する分岐高圧ガス管５５１ａ，５５１ｂ，５５１ｃとを備える。
低圧ガス管５３０は、室外ユニット１００と集合電磁弁キット６００とを繋ぐ室外側低圧ガス管５６０と、集合電磁弁キット６００内に設けられるキット内低圧ガス管５６１とを備える。このキット内低圧ガス管５６１は、室内ユニット３００ａ，３００ｂ，３００ｃに跨って配置される内部低圧ガス管５６８と、内部低圧ガス管５６８から室内ユニット３００ａ，３００ｂ，３００ｃに分岐する分岐低圧ガス管５６１ａ，５６１ｂ，５６１ｃとを備える。
液管５１０は、室外ユニット１００と集合電磁弁キット６００とを繋ぐ室外側液管５７０と、集合電磁弁キット６００内に設けられるキット内液管５７１とを備える。このキット内液管５７１は、室内ユニット３００ａ，３００ｂ，３００ｃに跨って配置される内部液管５７８と、内部液管５７８から室内ユニット３００ａ，３００ｂ，３００ｃに分岐する分岐液管５７１ａ，５７１ｂ，５７１ｃとを備える。
【００５９】
集合電磁弁キット６００は、室内ユニット３００ａに流れる冷媒が通る冷媒回路部６００ａと、室内ユニット３００ｂに流れる冷媒が通る冷媒回路部６００ｂと、室内ユニット３００ｃに流れる冷媒が通る冷媒回路部６００ｃと、内部高圧ガス管５５８と、内部低圧ガス管５６８と、内部液管５７８と、を筐体６１０に収容して構成されている。
冷媒回路部６００ａは、分岐高圧ガス管５５１ａと、分岐低圧ガス管５６１ａと、分岐液管５７１ａと、分岐高圧ガス管５５１ａと分岐低圧ガス管５６１ａとを接続するバランス管５５５ａと、分岐高圧ガス管５５１ａに設けられる高圧ガス管電磁弁２０４ａと、分岐低圧ガス管５６１ａに設けられる低圧ガス管電磁弁２０６ａと、バランス管５５５ａに設けられるバランス管電磁弁２０５ａとを備える。
【００６０】
冷媒回路部６００ｂは、分岐高圧ガス管５５１ｂと、分岐低圧ガス管５６１ｂと、分岐液管５７１ｂと、分岐高圧ガス管５５１ｂと分岐低圧ガス管５６１ｂとを接続するバランス管５５５ｂと、分岐高圧ガス管５５１ｂに設けられる高圧ガス管電磁弁２０４ｂと、分岐低圧ガス管５６１ｂに設けられる低圧ガス管電磁弁２０６ｂと、バランス管５５５ｂに設けられるバランス管電磁弁２０５ｂとを備える。
冷媒回路部６００ｃは、分岐高圧ガス管５５１ｃと、分岐低圧ガス管５６１ｃと、分岐液管５７１ｃと、分岐高圧ガス管５５１ｃと分岐低圧ガス管５６１ｃとを接続するバランス管５５５ｃと、分岐高圧ガス管５５１ｃに設けられる高圧ガス管電磁弁２０４ｃと、分岐低圧ガス管５６１ｃに設けられる低圧ガス管電磁弁２０６ｃと、バランス管５５５ｃに設けられるバランス管電磁弁２０５ｃとを備える。
【００６１】
分岐高圧ガス管５５１ａ，５５１ｂ，５５１ｃと分岐低圧ガス管５６１ａ，５６１ｂ，５６１ｃとは、合流して１本の合流配管５７５ａ，５７５ｂ，５７５ｃとなる。ガス管３５１ａ，３５１ｂ，３５１ｃは、合流配管５７５ａ，５７５ｂ，５７５ｃに接続される。また、室内ユニット側液管３５０ａ，３５０ｂ，３５０ｃは、分岐液管５７１ａ，５７１ｂ，５７１ｃに接続される。
【００６２】
また、集合電磁弁キット６００は、高圧ガス管電磁弁２０４ａ，２０４ｂ，２０４ｃをバイパスするように内部高圧ガス管５５８と内部液管５７８とを接続するバイパス管６０１と、バイパス管６０１を流れる冷媒を減圧する減圧器６０３と、減圧器６０３を通過した後の冷媒と高圧ガス管電磁弁２０４ａ，２０４ｂ，２０４ｃ、低圧ガス管電磁弁２０６ａ，２０６ｂ，２０６ｃ及びバランス管電磁弁２０５ａ，２０５ｂ，２０５ｃとの間で熱交換を行う熱交換部６０２とを備える。
【００６３】
減圧器６０３は、開度を調整可能な電動弁であり、上記制御部により制御される。
バイパス管６０１は、筐体６１０内で内部高圧ガス管５５８と内部液管５７８とを接続する冷媒配管である。冷媒は、内部高圧ガス管５５８と内部液管５７８との圧力差によって、内部高圧ガス管５５８から内部液管５７８に流れる。
バイパス管６０１の一端５８２は、高圧ガス管電磁弁２０４ａ，２０４ｂ，２０４ｃよりも、暖房運転の際の冷媒の流れ方向において上流側で内部高圧ガス管５５８に接続される。
バイパス管６０１の他端５８３は、筐体６１０内で内部液管５７８に接続される。
減圧器６０３及び熱交換部６０２は、バイパス管６０１において、一端５８２と他端５８３との間に設けられる。
バイパス管６０１の一端５８２は、内部高圧ガス管５５８の下部（下面）に接続され、バイパス管６０１の他端５８３は、内部液管５７８の下部（下面）に接続される。
【００６４】
熱交換部６０２は、上記第１の実施の形態の熱交換部２０２ａと同様に、バイパス管６０１の外周部において減圧器６０３の下流側の部分と各電磁コイル２０８とが接触する部分である。
本第２の実施の形態では、熱交換部６０２は、減圧器６０３とバイパス管６０１の他端５８３との間において各電磁コイル２０８に対応する位置に設けられており、熱交換によって各電磁コイル２０８を冷却する。すなわち、熱交換部６０２によって、高圧ガス管電磁弁２０４ａ，２０４ｂ，２０４ｃ、低圧ガス管電磁弁２０６ａ，２０６ｂ，２０６ｃ及びバランス管電磁弁２０５ａ，２０５ｂ，２０５ｃの各電磁コイル２０８が冷却される。
【００６５】
図５では、冷房運転の際の冷媒回路図が示されている。
冷房運転時には、四方弁１０３は、図５の四方弁１０３中の実線の方向に冷媒を流すように設定される。また、冷房運転時には、高圧ガス管電磁弁２０４ａ，２０４ｂ，２０４ｃは閉状態とされ、バランス管電磁弁２０５ａ，２０５ｂ，２０５ｃ及び低圧ガス管電磁弁２０６ａ，２０６ｂ，２０６ｃは開状態とされる。冷房運転時の冷媒の流れ方向は、図５に実線及び破線の矢印で図示されている。
なお、第２の実施の形態は、内部高圧ガス管５５８、内部低圧ガス管５６８及び内部液管５７８が集合電磁弁キット６００に収容された点が第１の実施の形態と異なるが、バイパス管６０１の部分を除き、冷媒の基本的な流れは第１の実施の形態と同様であるため、全体の冷媒の流れの説明は省略する。
【００６６】
冷房運転時には、圧縮機１０１から吐出された高温高圧のガス冷媒の一部は、四方弁１０３側ではなく、図５に破線の矢印で示すように、室外側高圧ガス管５５０に流れ、集合電磁弁キット６００の内部高圧ガス管５５８に流入する。
冷房運転時には、高圧ガス管電磁弁２０４ａ，２０４ｂ，２０４ｃは閉状態であるため、内部高圧ガス管５５８に流入した冷媒は、バイパス管６０１に流れる。
【００６７】
バイパス管６０１に流れた冷媒は、減圧器６０３で減圧されて低温になる。この低温になった冷媒は、熱交換部６０２を通る際に各電磁コイル２０８と熱交換し、各電磁コイル２０８を冷却する。
熱交換部６０２で熱交換した冷媒は、内部液管５７８を流れる冷媒に合流し、室内ユニット３００ａ，３００ｂ，３００ｃ側に流れる。
【００６８】
本第２の実施の形態では、バイパス管６０１は、１本のバイパス管６０１が、複数の冷媒回路部６００ａ，６００ｂ，６００ｃの各電磁コイル２０８に跨って設けられる。このため、バイパス管６０１の本数を削減でき、簡単な構成で各電磁コイル２０８を冷却できる。
また、空気調和装置４１０の起動直後やオイル回収運転を実施した直後、または、直前まで暖房運転や冷暖混在運転をしていた場合など、高圧ガス管５２０の冷媒の溜まり量が少ない時は、空気調和装置４１０は、室外ユニット１００からの信号を受けて減圧器６０３を所定時間だけ全閉にする。すなわち、空気調和装置４１０では、冷房運転時において冷媒の溜まり量が少ない時は、バイパス管６０１に冷媒が流れないように制御され、所定時間経過して高圧ガス管５２０に冷媒が溜まり始めてから減圧器６０３が開方向に制御される。
これにより、高圧ガス管５２０に冷媒が溜まっていない時に、バイパス管６０１を通って内部液管５７８に冷媒が過剰にバイパスしなくなる。このため、室外熱交換器１０４の出口の冷媒の過冷却度が小さくなることによる冷房能力の低下を抑制することができる。
【００６９】
また、バイパス管６０１の一端５８２は、筐体６１０内における冷媒の流れの下流側（室外ユニット１００から遠い側）で内部高圧ガス管５５８に接続され、他端５８３は、筐体６１０内における冷媒の流れの上流側（室外ユニット１００から近い側）で内部液管５７８に接続される。これにより、内部高圧ガス管５５８内の広い範囲に亘り、内部高圧ガス管５５８内に溜まる冷媒をバイパス管６０１を通して内部液管５７８に戻すことができ、内部高圧ガス管５５８内に冷媒が溜まることによる冷媒不足を回避でき、冷媒能力の低下を抑制できる。さらに、冷媒不足を回避できるため、室内ユニット３００ａ，３００ｂ，３００ｃに流入する冷媒の温度差を小さくできる。このため、室内ユニット３００ａ，３００ｂ，３００ｃの能力のバラツキを低減でき、室内ユニット３００ａ，３００ｂ，３００ｃが設置された空間の温度ムラを減少させることで、快適性を向上できる。
本第２の実施の形態では、暖房運転時及び冷暖混在運転時においても、上記第１の実施の形態と同様の効果を得ることができる。
【００７０】
なお、上記第２の実施の形態は本発明を適用した一態様を示すものであって、本発明は上記第２の実施の形態に限定されるものではない。
上記第２の実施の形態では、高圧ガス管電磁弁２０４ａ，２０４ｂ，２０４ｃ、バランス管電磁弁２０５ａ，２０５ｂ，２０５ｃ、及び、低圧ガス管電磁弁２０６ａ，２０６ｂ，２０６ｃの各電磁コイル２０８を熱交換部６０２で冷却する例を挙げて説明したが、本発明はこれに限定されるものではなく、一部の電磁コイル２０８のみを熱交換部で冷却する構成としても良い。例えば、集合電磁弁キット６００では、各電磁コイル２０８が筐体６１０内で多数並べて配置されるため、各電磁コイル２０８による全体の発熱量が大きくなることがあり、特に、周囲を他の電磁コイルで囲まれる電磁コイルは温度上昇が大きくなることがある。この場合、このような温度上昇が大きくなりやすい電磁コイルのみを熱交換部で冷却する構成としても良い。また、筐体６１０内の中央部に配置されて熱が籠り易い高圧ガス管電磁弁２０４ｂ、バランス管電磁弁２０５ｂ及び低圧ガス管電磁弁２０６ｂのみを熱交換部で冷却する構成としても良い。
【符号の説明】
【００７１】
１０，４１０  空気調和装置
１００  室外ユニット
３００ａ，３００ｂ，３００ｃ  室内ユニット
１１０，５１０  液管
１２０，５２０  高圧ガス管
１３０，５３０  低圧ガス管
１５１ａ，１５１ｂ，１５１ｃ，５５１  キット内高圧ガス管
１６１ａ，１６１ｂ，１６１ｃ，５６１  キット内低圧ガス管
１７１ａ，１７１ｂ，１７１ｃ，５７１  キット内液管
１８２ａ，１８２ｂ，１８２ｃ，５８２  一端（冷媒回路の一端）
２００ａ，２００ｂ，２００ｃ  電磁弁キット
２０１ａ，２０１ｂ，２０１ｃ，６０１  バイパス管
２０２ａ，２０２ｂ，２０２ｃ，６０２  熱交換部
２０３ａ，２０３ｂ，２０３ｃ，６０３  減圧器
２０４ａ，２０４ｂ，２０４ｃ  高圧ガス管電磁弁（電磁弁）
２０６ａ，２０６ｂ，２０６ｃ  低圧ガス管電磁弁（電磁弁）
２０８  電磁コイル
３５０ａ，３５０ｂ，３５０ｃ  室内ユニット側液管
３５１ａ，３５１ｂ，３５１ｃ  ガス管
６００  集合電磁弁キット（電磁弁キット）
【図１】
2017096597.tif 000003
【図２】
2017096597.tif 000004
【図３】
2017096597.tif 000005
【図４】
2017096597.tif 000006
【図５】
2017096597.tif 000007